(57)【要約】【課題】必要に応じて所定の場所に簡単に設置することができる折り畳み可能型店舗を提供する。【解決手段】上記課題を解決するために、折り畳み可能型店舗１００は、第１の床板１０１と、パワーシリンダ支持部１０３を上部に有する第１の床板１０１上に止着された柱１２３と、パワーシリンダ支持部１０３に支承されたパワーシリンダ１０５と、パワーシリンダ１０５から受ける上下方向への力を回転方向に伝えるウェイト１１１と、ウェイト１１１を支承するアーム支持部１１３と、アーム支持部１１３の支軸部分の延長線上にウェイト１１１と一体又は別体に設けられたアーム１１５と、アーム１１５の先端部をスライド可能に収装したアーム先端収装部１１９と、アーム先端収装部１１９が止着される第２の床板１１７とを含む。【選択図】　　　図１
2004068540.tif 000002
【特許請求の範囲】
【請求項１】
第１の床板と、第１の床板に連結した第２の床板とから成り、第１の床板に対して第２の床板が略水平から略垂直になる範囲で第２の床板を折り畳むことができることを特徴とする折り畳み可能型店舗。
【請求項２】
第１の床板と、パワーシリンダ支持部を上部に有する第１の床板上に止着された柱と、パワーシリンダ支持部に支承されたパワーシリンダと、パワーシリンダから受ける上下方向への力を回転方向に伝えるウェイトと、ウェイトを支承するアーム支持部と、アーム支持部の支軸部分の延長線上にウェイトと一体又は別体に設けられたアームと、アームの先端部をスライド可能に収装したアーム先端収装部と、アーム先端収装部が止着される第２の床板とを含み、第２の床板の一端は第１の床板とヒンジを介して回動可能に連結され、第２の床板の他端はパワーシリンダの力がアーム先端収装部を介して伝えられることにより持ち上げられ、第１の床板に対して第２の床板が略水平から略垂直になる範囲で第２の床板を折り畳むことができることを特徴とする折り畳み可能型店舗。
【請求項３】
請求項１又は２に記載の折り畳み可能型店舗おいて、第２の床板が折り畳まれている状態で、第１の床板で覆われない第２の床板の周囲を覆い箱型形状になるように壁を設けることを特徴とする折り畳み可能型店舗。
【請求項４】
請求項３に記載の折り畳み可能型店舗おいて、箱型形状になるように設けられた壁の上端に天井を設けることを特徴とする折り畳み可能型店舗。
【請求項５】
請求項４に記載の折り畳み可能型店舗おいて、天井に第２の床板の他端を覆うように庇を設けることを特徴とする折り畳み可能型店舗。
【請求項６】
請求項１乃至５のいずれかに記載の折り畳み可能型店舗おいて、第１の床板、第２の床板又は壁のいずれかに電源を設けることを特徴とする折り畳み可能型店舗。
【請求項７】
請求項１乃至６のいずれかに記載の折り畳み可能型店舗おいて、第１の床板又は第２の床板に折り畳み可能な椅子を設けることを特徴とする折り畳み可能型店舗。
【請求項８】
請求項１乃至７のいずれかに記載の折り畳み可能型店舗おいて、第１の床板又は第２の床板に折り畳み可能な机を設けることを特徴とする折り畳み可能型店舗。
【請求項９】
請求項１乃至８のいずれかに記載の折り畳み可能型店舗おいて、第２の床板が折り畳まれた時に外部に向く面が広告媒体として使用されることを特徴とする折り畳み可能型店舗。
【請求項１０】
請求項１乃至９のいずれかに記載の折り畳み可能型店舗おいて、第２の床板が折り畳まれた時に外部に向く面が発光するように第２の床板の内部又は表面に照明を設けることを特徴とする折り畳み可能型店舗。
【発明の詳細な説明】
【０００１】
【発明の属する技術分野】
本発明は、折り畳み可能型店舗に関するものである。この折り畳み可能型店舗は、地下鉄等の駅構内や、役所やオフィスビル及び商業施設等のエントランスやフリースペースを利用して、これらのスペースにおいて折り畳み可能な床を下ろして店舗として利用することができ、閉店時にはこの床を持ち上げることによりコンパクトに収納することができ、しかも、店舗として必要な設備を一体的に備えているものである。
【０００２】
【従来の技術】
近年、コンピュータや携帯電話をはじめ、ＩＴ（Ｉｎｆｏｒｍａｔｉｏｎ　Ｔｅｃｈｎｏｌｏｇｙ）を囲む環境は激変している。中でもＡＤＳＬや光通信網等の高速通信の情報伝達網の発達は、ブロードバンドの普及と拡大を促進し、動画や音声は勿論、高速・高密度、そして大量の情報伝達が可能になってきた。パソコン及び携帯電話やＰＤＡ（Ｐｅｒｓｏｎａｌ　Ｄｉｇｉｔａｌ　Ａｓｓｉｓｔａｎｃｅ）等との融合による、インターネットを中心とした社会環境の変化がおきている。
【０００３】
【発明が解決しようとする課題】
そして、会社におけるコンピュータの導入等も進み、職場でのインターネット環境も整ってきている。また、不特定多数を対象としたインターネットを使用できる場所として、インターネットカフェ等がある。
【０００４】
しかし、インターネットカフェ等は数が少なく、且つ、移動不可能である。
【０００５】
一方、インターネットを利用できる移動可能な通信手段として、携帯電話やモバイルコンピュータ等がある。
【０００６】
しかし、このような機器を持ち運ばないで、どこでも簡単に、そして誰にでも手軽に使用できるという環境・インフラの整備は未だ十分とはいえない。つまり、職場や家の外に出てもプロードバンド（高速大容量）のインターネットを手軽に使用できるという環境・インフラの整備が必要とされているのである。
【０００７】
【課題を解決するための手段】
（１）上記課題を解決するために、本発明に係る折り畳み可能型店舗は、第１の床板と、第１の床板に連結した第２の床板とから成り、第１の床板に対して第２の床板が略水平から略垂直になる範囲で第２の床板を折り畳むことができることを特徴とする。
【０００８】
（２）また、第１の床板と、パワーシリンダ支持部を上部に有する第１の床板上に止着された柱と、パワーシリンダ支持部に支承されたパワーシリンダと、パワーシリンダから受ける上下方向への力を回転方向に伝えるウェイトと、ウェイトを支承するアーム支持部と、アーム支持部の支軸部分の延長線上にウェイトと一体又は別体に設けられたアームと、アームの先端部をスライド可能に収装したアーム先端収装部と、アーム先端収装部が止着される第２の床板とを含み、第２の床板の一端は第１の床板とヒンジを介して回動可能に連結され、第２の床板の他端はパワーシリンダの力がアーム先端収装部を介して伝えられることにより持ち上げられ、第１の床板に対して第２の床板が略水平から略垂直になる範囲で第２の床板を折り畳むことができることを特徴とする。
【０００９】
（３）更に、（１）又は（２）に記載の折り畳み可能型店舗おいて、第２の床板が折り畳まれている状態で、第１の床板で覆われない第２の床板の周囲を覆い箱型形状になるように壁を設けることを特徴とする。
【００１０】
（４）また、（３）に記載の折り畳み可能型店舗おいて、箱型形状になるように設けられた壁の上端に天井を設けることを特徴とする。
【００１１】
（５）加えて、（４）に記載の折り畳み可能型店舗おいて、天井に第２の床板の他端を覆うように庇を設けることを特徴とする。
【００１２】
（６）また、（１）乃至（５）のいずれかに記載の折り畳み可能型店舗おいて、第１の床板、第２の床板又は壁のいずれかに電源を設けることを特徴とする。
【００１３】
（７）この他、（１）乃至（６）のいずれかに記載の折り畳み可能型店舗おいて、第１の床板又は第２の床板に折り畳み可能な椅子を設けることを特徴とする。
【００１４】
（８）また、（１）乃至（７）のいずれかに記載の折り畳み可能型店舗おいて、第１の床板又は第２の床板に折り畳み可能な机を設けることを特徴とする。
【００１５】
（９）更に、（１）乃至（８）のいずれかに記載の折り畳み可能型店舗おいて、第２の床板が折り畳まれた時に外部に向く面が広告媒体として使用されることを特徴とする。
【００１６】
（１０）また、（１）乃至（９）のいずれかに記載の折り畳み可能型店舗おいて、第２の床板が折り畳まれた時に外部に向く面が発光するように第２の床板の内部又は表面に照明を設けることを特徴とする。
【００１７】
以上のような構成により、本発明は、▲１▼必要に応じて所定の場所に簡単に設置することができること、▲２▼閉店時には第２の床板で前面を塞ぎ内部が見えないため、防犯効果があること、▲３▼第２の床板を持ち上げて収納した際に第２の床板が外部に向く面を広告スペースとして使用できること等を可能とする折り畳み可能型店舗を提供することを目的とするものである。
【００１８】
【発明の実施の形態】
〔第１の実施形態〕
図１及び図２は、本発明の折り畳み可能型店舗１００の全体構成を示す図である。１０１は第１の床板、１０３はパワーシリンダを可動に支持するパワーシリンダ支持部、１０５はパワーシリンダ、１０７はシリンダ、１０９はシリンダに摺動自由に収装したピストンに結合されたピストンロッド、１１１はピストンロッド１０９から受ける上下方向への力を回転方向に伝えるウェイト、１１３はウェイト１１１又はアーム１１５を可動に支持するアーム支持部、１１５はウェイト１１１と一体又は別体に設けられたアーム、１１７は第１の床板１０１とヒンジ１１８を介して回動可能に連結された第２の床板、１１９はアーム１１５の先端部又はアーム１１５の先端に取付けられた部材をスライド可能に収装したアーム先端収装部、１２１はアーム先端収装部１１９に設けられた溝、１２３は第１の床板１０１に接合された柱、１２５は柱１２３に取付けられた背面板、１２７は背面板１２５と一体又は別体に設けられた天井、１２９は天井と一体又は別体に設けられた庇、１３０は折り畳み可能な椅子、１４０は折り畳み可能な机である。
【００１９】
第１の床板１０１の上面は、銀行や生保等の提供するＡＴＭ機や軽飲食のできる自動販売機等の機器を設置するスペースとなる。また、第２の床板１１７の上面には、自動式又は手動式で折り畳み収納できる椅子１３０及び机１４０が床板１１７内部に収納可能に設置されている。この場合、図３に示すように収納時には椅子１３０及び机１４０の全てが格納されることが望ましいが、椅子１３０及び机１４０の一部又は全部が床板１１７の上面に出たままで折り畳まれている状態であってもよい。これは、床板１０１上に設置される機器の設置状態等による。また、椅子１３０及び机１４０は、第２の床板１１７と一体に設けなくてもよい。
【００２０】
背面板１２５、天井１２７及び庇１２９は、使用される状況に応じて必要のない場合がある。図４に示すように、例えば、駅等の建造物の内部に折り畳み可能型店舗１００を設置する場合において、建造物の壁面４０１及び天井４０２があるときは、背面板１２５、天井１２７及び庇１２９を省くことができる。
【００２１】
また、図１乃至図３には示されていないが、使用状況に応じて、図５の斜線部に示されるように、折り畳み可能型店舗１００を側面板５０１で覆うようにしてもよい。更に、本実施例の折り畳み可能型店舗１００の側面をつなげるように並べて複数使用する場合は、その両端に位置する両側の側面である２面だけを側面板５０１で覆うようにしてもよい。
【００２２】
上述の説明から分かるように、本発明は第１の床板１０１、パワーシリンダを可動に支持するパワーシリンダ支持部１０３、パワーシリンダ１０５、ピストンロッド１０９から受ける上下方向への力を回転方向に伝えるウェイト１１１、ウェイト１１１又はアーム１１５を可動に支持するアーム支持部１１３、ウェイト１１１と一体又は別体に設けられたアーム１１５、第１の床板１０１とヒンジ１１８を介して回動可能に連結された第２の床板１１７、アーム１１５の先端部又はアーム１１５の先端に取付けられた部材をスライド可能に収装したアーム先端収装部１１９、アーム先端収装部１１９に設けられた溝１２１、第１の床板１０１に接合された柱１２３が必要とされる。
【００２３】
そして、第１の床板１０１、柱１２３、背面板１２５又は側面板５０１等にＡＴＭ機や軽飲食のできる自動販売機、コンピュータ等の機器に電力を供給するコンセントを設けるようにしてもよい。通常は、外部から延長ケーブル等を使用して直接ＡＴＭ機や自動販売機、コンピュータ等に電力の供給が可能であるので、必要に応じてコンセントを設置して電源を確保する。また、第２の床板１１７に電力を供給するコンセントを設けるようにしてもよい。電源を確保することにより、コンピュータ等の通信端末を設置することが可能となりインターネット環境を構築できる。
【００２４】
更に、ここでいうインターネット環境とは、通常行なわれているホームページの検索、閲覧等のブラウジングのみに限られない。例えば、ＡＴＭ機を設置するだけでもインターネット環境を構築できる。現在、パーソナルコンピュータを用いたインターネットＡＴＭとして、出金（契約貸付金の借入れ、残高照会　：積立配当金・据置祝金・据置保険金の引出し、残高照会　：カードローンの借入れ、残高照会　：過去の利用状況照会　）、入金（契約貸付金の返済：２回目以降保険料の入金）、加入契約の証券（据置証券）記号番号の照会、変額保険解約時の支払金額の照会、生命保険料控除証明書再発行の受付等の様々なサービスが提供されている。
【００２５】
これは生保のインターネットＡＴＭサービスの一例を示すものであるが、従来の現金を入出金するＡＴＭ機にインターネット環境を与えることにより、このようなサービスを提供してもよい。
【００２６】
今後、インターネット環境・インフラの整備の一環として、駅や空港、高速道路のパーキングエリアに通信事業者がアンテナ等の通信設備を設置して高速無線ネットが利用できるようになれば、本発明の折り畳み可能型店舗１００も駅や空港、高速道路のパーキングエリアに容易に設置できる。しかし、高速無線ネットの電波は携帯電話に比べて限られた範囲にしか届かないのが実情である。
【００２７】
また、高速無線ネットだけに限らず、使用する状況により有線方式のブロードバンドサービスであるＡＤＳＬや光ケーブルの接続によるインターネット接続ができるようにしてもよい。また、利用者が端末を持ち込んでも使用できるように、無線ＬＡＮ接続ができるようにしてもよい。
【００２８】
本発明の折り畳み可能型店舗１００において、パーソナルコンピュータや自動販売機等の機器を使用したときの料金支払いは、現金は勿論のこと、プリペイドカード、クレジットカード、デビットカード、ＩＣカード等の使用が可能である。
【００２９】
また、折り畳み可能型店舗１００の設置場所としては、駅や空港、高速道路のパーキングエリアの他に、役所やオフィスビル及び商業施設等のエントランスやフリースペース、区役所、市役所、無人化したＮＴＴ電話局や学校の空き教室等のあらゆる場所に設置できる。
【００３０】
更に、折り畳み可能型店舗１００は、一度設置をすれば、持ち上げた第２の床板１１７を下ろして、開店準備が簡単に開始できる。また、第２の床板１１７を持ち上げた状態で、外部に向いた面（下ろしていたときには下を向いていた面）を広告媒体として使用できる。このため、商店街等の店舗が閉店後に下ろすシャッターに店舗情報等を広告として表示するのと同様に、店舗情報、商品や企業等に関する広告をすることができる。
【００３１】
そして、シャッターとは異なり、表面を平らにすることができるので、ペイントし易いという利点がある。また、広告面を折り曲げる必要がないので、金属枠を予め外部に向いた面に設けておき、各種サイズのポスターを設置することもできる。この場合、ポスターを設置した場所に、ポスターの背面となる第２の床板１１７の内部又は金属枠内に蛍光灯等の照明を設けてもよい。
【００３２】
以上に述べたように、本発明によると、▲１▼必要に応じて所定の場所に簡単に設置することができること、▲２▼閉店時には第２の床板で前面を塞ぎ内部が見えないため、防犯効果があること、▲３▼第２の床板を持ち上げて収納した際に第２の床板が外部に向く面を広告スペースとして使用できること等の効果が得られる。
【００３３】
次に、図６に本発明に使用可能なパワーシリンダ１０５の一例を示す。このパワーシリンダ１０５は、作動油の供給に応じて伸縮するパワーシリンダである。
【００３４】
すなわち、シリンダ１０７の内部にピストン６０２に画成された２つの油室６０６と６０７を設け、ピストン６０２に結合したピストンロッド１０９の基端をガイド６０４を介してシリンダ１０７から外側へ摺動自由に突出させている。
【００３５】
ピストン６０２はスプリングシート６０９と６１０に挟持されたスプリング６１１により中立位置に弾性的に保持される。これに対して、油室６０６と６０７のいずれかに高圧作動油を供給し、他方をタンクに接続するとピストン６０２はスプリング６１１を押し縮めながら摺動し、スプリングシート６０９と６１０が当接するまでピストンロッド１０９を伸長または収縮側へ駆動する。尚、パワーシリンダ１０５の機構は作動油を用いたものに限定されず、例えば圧縮空気を用いる等、どのようなものであっても差し支えない。
【００３６】
〔第２の実施形態〕
次に、本発明の折り畳み可能型店舗１００の第２の実施形態を、図７及び図８を用いて説明する。第１の実施形態で説明した構成要素と同じものについては、同じ符号を付して説明を省略する。
【００３７】
図７及び図８に示されるように、第１の実施形態で説明した折り畳み可能型店舗１００の第２の床板１１７に、第３の床板７０１を更に設けた一例である。
【００３８】
第２の床板１１７の一端は第１の床板１０１とヒンジ１１８を介して回動可能に連結されている。同様に、第２の床板１１７の他端は第３の床板７０１の一端とヒンジ７０２を介して回動可能に連結されている。
【００３９】
本発明の折り畳み可能型店舗１００の展開時に、第２の床板１１７、第３の床板７０１は、直線状に展開する。すなわち、第２の床板１１７の一端と第１の床板１０１とは床板の上部でヒンジ１１８を介して連結され、第２の床板の他端と第３の床板７０１の一端とは床板の下部においてヒンジ７０２を介して連結されている。そして、第２の床板１１７と第３の床板７０１が折り畳まれた場合、第２の床板１１７と第３の床板７０１のそれぞれの裏面が向き合うように折り畳まれる。このとき、第３の床板７０１の表面が外側を向き広告スペースとなる。
【００４０】
上述のような構成にすることにより、本発明の折り畳み可能型店舗１００の床面積を広げることができる。
【００４１】
〔第３の実施形態〕
次に、本発明の折り畳み可能型店舗１００の第３の実施形態を、図９及び図１０を用いて説明する。第１の実施形態で説明した構成要素と同じものについては、同じ符号を付して説明を省略する。
【００４２】
第３の実施形態では、図９に示すように、第１の床板１０１及び第２の床板１１７にキャスター９０１を設けている。第１の床板１０１には第２の床板１１７を折り畳んだ際に移動可能となるように最低４個のキャスター９０１を取付ける。また、第２の床板１１７には展開時に移動可能となるように最低２個のキャスター９０１を取付ける。これにより、本発明の折り畳み可能型店舗１００は、簡単に移動することができる。
【００４３】
また、第３の実施形態では机９４０が対面型になっており、椅子９３０を棒状にしている。机９４０を対面型にすることにより、スペースの有効利用を図ることができる。
【００４４】
図９では、床板１０１と１１７にキャスター９０１を設ける例を示したが、図１１に示すように、第２の床板１１７にアジャスター１１０１を設けてもよい。このアジャスター１１０１は、折り畳み可能型店舗１００の展開時に折り畳み可能型店舗１００を一時的に固定し、その移動を阻止するものである。このとき、第３の床板に相当する床板１１０２にキャスター９０１を設けてもよい。
【００４５】
この他、図９のキャスター９０１としてストッパー付きのキャスターを使用してもよい。
【００４６】
上述のような構成にすることにより、簡単に移動することができ、その固定も容易である折り畳み可能型店舗１００を提供することができる。
【００４７】
一方、本発明の折り畳み可能型店舗１００に、所定の広告表示装置を設置してもよい（図示せず）。この広告表示装置は、複数コマの連続体として巻き込まれているシート状の透光性フィルムをコマ毎に表示面部側へ巻き出させるコマ送り手段と、コマ送り手段により送り出される透光性フィルムの背面側に光源を配し、光源により透光性フィルムの背面側を光照射させることにより透光性フィルム面上のカラー・モノクロ写真、または、カラー・モノクロ印刷された広告画面を点灯表示させるフィルム点灯手段と、前記コマ送り手段のコマ送り動作に連動して文字表示させるＬＥＤ表示部と、コマ送り動作に連動して音声による情報案内を行なわせる音声発生部を配し、ＬＥＤ表示部・音声発生部に電話回線での各種のネットワーク通信機能、ページャ通信機能もしくはパソコン回線機能による等の回線信号で文字・音声による情報をリアルタイムで入力させるものである。
【００４８】
そして、コマ送り手段は、制御回路手段により所定の動作シーケンスに基づいて駆動させる単一の駆動モーターと、駆動モーターに対し、前記透光性フィルムが巻架されている第１のローラーに同軸に配した一方のスプロケットと、同様に透光性フィルムが巻架されている第２のローラーに同軸に配した他方のスプロケット相互間に懸架させたエンドレスチェーンと、エンドレスチェーンのいずれか側の途中に透光性フィルムの弛みを防止させるよう当接されたテンションスプロケットと、前記透光性フィルムの巻き上げ動作と巻き下げ動作とをリレー回路手段を介して交互に切り替えさせるよう駆動モーター及び一方のスプロケット夫々に配した２つのクラッチと、所定の時間だけコマを表示し且つ所定の時間が経過した時に次のコマに送り出すようにしたタイマー機能とを備えている。
【００４９】
また、コマ送り手段は、制御回路手段により所定の動作シーケンスに基づいて夫々独立に駆動される巻き上げ用の駆動モーター及び巻き下げ用の駆動モーターと、巻き上げ用の駆動モーターの出力部及び前記透光性フィルムが巻架されている第１のローラーに同軸に配した一方のスプロケット相互間に懸架させた第１のエンドレスチェーンと、巻き下げ用の駆動モーターの出力部及び前記透光性フィルムが巻架されている第２のローラーに同軸に配した他方のスプロケット相互間に懸架させた第２のエンドレスチェーンと、エンドレスチェーンのいずれか側の途中に透光性フィルムの弛みを防止させるよう当接されたテンションスプロケットと、所定の時間だけコマを表示し且つ所定の時間が経過した時に次のコマに送り出すようにしたタイマー機能とを備え、前記第１のエンドレスチェーン及び第２のエンドレスチェーン夫々により前記透光性フィルムの巻き上げ動作と巻き下げ動作とをリレー回路手段を介して交互に切り替えるものであってもよい。
【００５０】
更に、広告表示装置の表裏両面側に表示面部を夫々設け、両表示面部を前記コマ送り手段により同時に表示可能とするものであってもよい。
【００５１】
【発明の効果】
以上説明したように本発明に係る折り畳み可能型店舗１００によれば、▲１▼必要に応じて所定の場所に簡単に設置することができること、▲２▼閉店時には第２の床板で前面を塞ぎ内部が見えないため、防犯効果があること、▲３▼第２の床板を持ち上げて収納した際に第２の床板が外部に向く面を広告スペースとして使用できること等を可能とする折り畳み可能型店舗１００を提供できる。
【図面の簡単な説明】
【図１】本発明の第１の実施形態に係わる折り畳み可能型店舗の展開時の全体構成を示す側面図である。
【図２】本発明の第１の実施形態に係わる折り畳み可能型店舗の展開時の全体構成を示す平面図である。
【図３】本発明の第１の実施形態に係わる折り畳み可能型店舗の折り畳み可能な床材を折り畳んで収納した際の側面図である。
【図４】本発明の第１の実施形態に係わる背面板及び天井のない折り畳み可能型店舗の側面図である。
【図５】本発明の第１の実施形態に係わる折り畳み可能型店舗の側面板を示す図である。
【図６】本発明の第１の実施形態に係わる折り畳み可能型店舗の開閉動作に使用されるパワーシリンダを示す図である。
【図７】本発明の第２の実施形態に係わる折り畳み可能型店舗の展開時の全体構成を示す側面図である。
【図８】本発明の第２の実施形態に係わる折り畳み可能型店舗の展開時の全体構成を示す平面図である。
【図９】本発明の第３の実施形態に係わる折り畳み可能型店舗の全体構成を示す側面図である。
【図１０】本発明の第３の実施形態に係わる折り畳み可能型店舗の全体構成を示す上面図である。
【図１１】本発明の一実施形態に係わる折り畳み可能型店舗の床板にキャスター及びアジャスターを設けた例を示す図である。
【符号の説明】
１００…折り畳み可能型店舗
１０１…第１の床板
１０３…パワーシリンダ支持部
１０５…パワーシリンダ
１０７…シリンダ
１０９…ピストンロッド
１１１…ウェイト
１１３…アーム支持部
１１５…アーム
１１７…第２の床板
１１８…ヒンジ
１１９…アーム先端収装部
１２１…溝
１２３…柱
１２５…背面板
１２７…天井
１２９…庇
１３０…椅子
１４０…机
４０１…壁面
４０２…天井
５０１…側面板
６０２…ピストン
６０４…ガイド
６０６，６０７…油室
６０９，６１０…スプリングシート
６１１…スプリング
７０１…第３の床板
７０２…ヒンジ
９０１…キャスター
９３０…椅子
９４０…机
１１０１…アジャスター
１１０２…床板
【図１】
2004068540.tif 000003
【図２】
2004068540.tif 000004
【図３】
2004068540.tif 000005
【図４】
2004068540.tif 000006
【図５】
2004068540.tif 000007
【図６】
2004068540.tif 000008
【図７】
2004068540.tif 000009
【図８】
2004068540.tif 000010
【図９】
2004068540.tif 000011
【図１０】
2004068540.tif 000012
【図１１】
2004068540.tif 000013